(57)【要約】【課題】チャネル推定装置、チャネル推定方法及びユーザ機器を提供する。【解決手段】チャネル推定装置は、予め生成された参照信号系列を用いて受信信号に対して多重分離化及び逆拡散処理を行って、下りリンク伝送層における重なっている参照信号が占めるリソースエレメントの初期チャネル応答情報を抽出する前処理部と、層間の干渉を除去するための干渉除去マトリックス及び初期チャネル応答情報に基づいて干渉除去を行い、干渉除去後の参照信号が占めるリソースエレメントのチャネル応答情報を取得する干渉除去部と、干渉除去後の参照信号が占めるリソースエレメントのチャネル応答情報に基づいて、下りリンク伝送データが占めるリソースエレメントのチャネル応答を推定するチャネル推定部と、を含む。【選択図】図３
2013214969.tif 000002
【特許請求の範囲】
【請求項１】
予め生成された参照信号系列を用いて受信信号に対して多重分離化及び逆拡散処理を行って、下りリンク伝送層における重なっている参照信号が占めるリソースエレメントの初期チャネル応答情報を抽出する前処理部と、
層間の干渉を除去するための干渉除去マトリックス及び前記初期チャネル応答情報に基づいて干渉除去を行い、干渉除去後の参照信号が占めるリソースエレメントのチャネル応答情報を取得する干渉除去部と、
前記干渉除去後の参照信号が占めるリソースエレメントのチャネル応答情報に基づいて、下りリンク伝送データが占めるリソースエレメントのチャネル応答を推定するチャネル推定部と、を含む、チャネル推定装置。
【請求項２】
伝送チャネルの統計的特徴に基づいて前記干渉除去マトリックスを生成するマトリックス計算部をさらに含む、請求項１に記載のチャネル推定装置。
【請求項３】
前記マトリックス計算部は、前記伝送チャネルのＳＮ比（信号対雑音比）、ドップラー偏移及び遅延広がり（delay  spread）情報のうち少なくとも１つに基づいて、ＭＭＳＥ（最小平均二乗誤差）推定により前記干渉除去マトリックスを計算する、請求項２に記載のチャネル推定装置。
【請求項４】
前記マトリックス計算部は、ＵＥ（ユーザ機器）固有の参照信号の初期チャネル応答を用いて伝送チャネルの統計的特徴を推定する、セル固有の参照信号の初期チャネル応答を用いて伝送チャネルの統計的特徴を推定する、或いはチャネル状態情報の参照信号の初期チャネル応答を用いて伝送チャネルの統計的特徴を推定する、請求項２に記載のチャネル推定装置。
【請求項５】
前記前処理部は時間領域方向に基づく多重分離化及び逆拡散処理を行い、前記干渉除去部は周波数領域方向において干渉除去を行う、
或いは、前記前処理部は周波数領域方向に基づく多重分離化及び逆拡散処理を行い、前記干渉除去部は時間領域方向又は周波数領域方向において干渉除去を行う、請求項１に記載のチャネル推定装置。
【請求項６】
前記前処理部は周波数領域方向に基づく多重分離化及び逆拡散処理を行い、前記干渉除去部は時間領域方向において干渉除去を行う、
或いは、前記前処理部は周波数領域方向に基づく多重分離化及び逆拡散処理を行い、前記干渉除去部は時間領域方向又は周波数領域方向において干渉除去を行う、
或いは、前記前処理部は時間領域及び周波数領域方向に基づく多重分離化及び逆拡散処理を行い、前記干渉除去部は時間領域及び周波数領域方向において干渉除去を行う、請求項１に記載のチャネル推定装置。
【請求項７】
予め生成された参照信号系列を用いて受信信号に対して多重分離化及び逆拡散処理を行って、下りリンク伝送層における重なっている参照信号が占めるリソースエレメントの初期チャネル応答情報を抽出するステップと、
層間の干渉を除去するための干渉除去マトリックス及び前記初期チャネル応答情報に基づいて干渉除去を行い、干渉除去後の参照信号が占めるリソースエレメントのチャネル応答情報を取得するステップと、
前記干渉除去後の参照信号が占めるリソースエレメントのチャネル応答情報に基づいて、下りリンク伝送データが占めるリソースエレメントのチャネル応答を推定するステップと、を含む、チャネル推定方法。
【請求項８】
請求項１乃至６のいずれかに記載のチャネル推定装置を含むユーザ機器。
【発明の詳細な説明】
【技術分野】
【０００１】
本発明は、通信領域に関し、特にLTE-Advanced（Long  Term  Evolution  Advanced：進化されたロング・ターム・エボリューション）システムにおけるチャネル推定装置、チャネル推定方法及びユーザ機器に関する。
【背景技術】
【０００２】
３ＧＰＰ  ＬＴＥ−Ａｄｖａｎｃｅｄ（Long  Term  Evolution-Advanced：進化されたロング・ターム・エボリューション）は現在第４世代移動通信の最良の選択である。ＬＴＥ−Ａｄｖａｎｃｅｄ  Ｒ１０プロトコルは、ピーク速度が１Ｇｂｐｓの下り伝送をサポートするために、８ポートに基づくＵＥ固有の参照信号（UE-specific  Reference  Signals）のビームフォーミング（beamforming）及びプリコーディング（precoding）技術を採用している。ＬＴＥ−Ａｄｖａｎｃｅｄのユーザ機器受信側では、同期検波（coherent  detection）を行うために、ＵＥ固有の参照信号のチャネル推定技術は、通常無線伝送チャネルのリアルタイム変化を追跡及び予測することに用いられる。
【０００３】
ＬＴＥ−Ａｄｖａｎｃｅｄ  Ｒ１０プロトコルにおける８つのポートまでのＵＥ固有参照信号の設計は、従来のＦＤＭ（Frequency  Division  Multiplexing：周波数分割多重方式）及びＴＤＭ（Time  division  multiplexing：時分割多重方式）を採用すると共に、２Ｄ−ＯＣＣ（Two-dimensional  Orthogonal  Cover  Code：２次元直交カバーコード）に基づくＣＤＭ（Code  Division  Multiplexing：符号分割多重方式）を採用し、最大８層の下りリンク伝送データを同一の時間周波数リソースで同時に伝送することが実現される。
【０００４】
ＬＴＥ−Ａｄｖａｎｃｅｄのユーザ機器受信側では、重なっている異なる伝送層それぞれのデータ情報が経るチャネル応答を得るために、先ずＵＥ固有信号が占めるＲＥ（Resource  slement：リソースエレメント）における初期チャネル応答を取得するように、受信された信号に対して多重分離化及び逆拡散処理を行って、そして、ＵＥ固有信号が占めるＲＥにおける初期チャネル応答に基づいて補間処理を行って、データ情報が占めるリソースユニットにおけるチャネル応答を取得する。
【０００５】
しかし、従来技術には以下の欠陥がある。ＵＥ固有参照信号の初期チャネル応答には、信号群における他のリソースエレメントの推定誤差だけではなく、ターゲット下りリンク伝送層と重なっている他の伝送層からの層間干渉を含む。従来のデータ情報リソースエレメントにおけるチャネル応答に対する推定は、直線的補間又は代表的なＭＭＳＥ（Minimum  Mean  Squared  Error：最小平均二乗誤差）フィルタ等の従来方法を用いても、該干渉に対する処理を含まない。このため、ＵＥ固有参照信号の初期チャネル応答に含まれる層間干渉はチャネル推定精度の低減及びシステム性能の降下をもたらしてしまう。
【発明の概要】
【発明が解決しようとする課題】
【０００６】
参照信号の初期チャネル応答に含まれる層間干渉を除去するチャネル推定装置、チャネル推定方法及びユーザ機器を提供する。
【課題を解決するための手段】
【０００７】
チャネル推定装置の一の観点によれば、予め生成された参照信号系列を用いて受信信号に対して多重分離化及び逆拡散処理を行って、下りリンク伝送層における重なっている照信号が占めるリソースエレメントの初期チャネル応答情報を抽出する前処理部と、層間の干渉を除去するための干渉除去マトリックス及び前記初期チャネル応答情報に基づいて干渉除去を行い、干渉除去後の参照信号が占めるリソースエレメントのチャネル応答情報を取得する干渉除去部と、前記干渉除去後の参照信号が占めるリソースエレメントのチャネル応答情報に基づいて、下りリンク伝送データが占めるリソースエレメントのチャネル応答を推定するチャネル推定部と、を含む、チャネル推定装置が提供される。
【０００８】
チャネル推定方法の一の観点によれば、予め生成された参照信号系列を用いて受信信号に対して多重分離化及び逆拡散処理を行って、下りリンク伝送層における重なっている参照信号が占めるリソースエレメントの初期チャネル応答情報を抽出するステップと、層間の干渉を除去するための干渉除去マトリックス及び前記初期チャネル応答情報に基づいて干渉除去を行い、干渉除去後の参照信号が占めるリソースエレメントのチャネル応答情報を取得するステップと、前記干渉除去後の参照信号が占めるリソースエレメントのチャネル応答情報に基づいて、下りリンク伝送データが占めるリソースエレメントのチャネル応答を推定するステップと、を含む、チャネル推定方法が提供される。
【０００９】
ユーザ機器の一の観点によれば、上記チャネル推定装置を含むユーザ機器が提供される。
【００１０】
後述する説明及び図面を参照しながら、本発明の特定の実施形態を詳しく説明し、本発明の原理を適用できる方法を明確に示している。なお、本発明の実施形態の範囲は限定されない。添付の特許請求の範囲の主旨及び条文の範囲内において、本発明の実施形態は、変更するもの、修正するもの及び均等物を含む。
【００１１】
１つの実施形態に説明及び／又は示された特徴は、同一又は類似の方式で１つ又は複数の他の実施形態に用いられる、他の実施形態における特徴と組合せる、或いは他の実施形態における特徴を代替してもよい。
【００１２】
なお、用語「包括」、「含む」は、本文に用いられる場合、特徴、モジュール、ステップ又は組物を意味するが、１つ又は複数の他の特徴、モジュール、ステップ、組物を排除しない。
【発明の効果】
【００１３】
チャネル推定装置、チャネル推定方法及びユーザ機器によれば、層間の干渉を除去するための層間干渉除去マトリックス及び初期チャネル応答情報により干渉除去を行うことで、参照信号の初期チャネル応答に含まれる層間干渉を除去することができ、チャネル推定の精度及びシステム性能を向上することができる。
【図面の簡単な説明】
【００１４】
【図１】従来のＵＥ参照信号に基づくチャネル推定方法を示す図。
【図２】ＵＥ固有参照信号の構成を示す図。
【図３】チャネル推定装置の構成を示す図。
【図４】チャネル推定装置の他の構成を示す図。
【図５】シミュレーション性能を示す図。
【図６】チャネル推定方法のフローチャート。
【図７】チャネル推定方法の他のフローチャート。
【図８】チャネル推定方法を示す図。
【発明を実施するための形態】
【００１５】
以下、図面を参照しながら本発明の実施形態を説明する。明細書及び図面において、本発明本発明の特定の実施形態を詳しく説明し、本発明の原則を適用できる実施形態の一部を示している。なお、本発明は、ここに説明される実施形態に限定されず、添付の特許請求の範囲の主旨及び条文の範囲内の、変更するもの、修正するもの及び均等物の全てを含む。
【００１６】
本発明の実施例は、ＬＴＥ−ＡｄｖａｎｃｅｄシステムにおけるＵＥ固有参照信号を例として説明する。なお、本発明はこれに限定されず、例えば他の通信システムに適用されてもよい。また、本発明は、ＵＥ固有参照信号に限定されず、他の信号に適用されてもよく、例えばＣＤＭ（符号分割多重方式）を用いる参照信号に適用されてもよい。
【００１７】
図１は従来のＵＥ参照信号に基づくチャネル推定方法を示す図である。ここで、
【数１】
2013214969.tif 000003
はＵＥ受信信号を表示し、
【数２】
2013214969.tif 000004
はチャネル応答の推定結果を表示し、ｉは受信アンテナの番号を表示し、jは下りリンク送信データ層の番号を表示し、nはタイムスロット番号を表示し、kは占める周波数領域リソース番号を表示し、lは占める時間領域符号番号を表示する。
【００１８】
図１に示すように、受信信号
【数３】
2013214969.tif 000005
はＵＥ固有信号リソースエレメント初期チャネル応答推定部に入力され、多重分離化及び逆拡散処理が行われ、異なる下りリンク伝送層のＵＥ固有信号リソースエレメントにおける初期チャネル応答
【数４】
2013214969.tif 000006
が取得される。ここで、ＵＥ固有参照信号の設計には、拡散因数（SF：Spreading  Factor）が４の２Ｄ−ＯＣＣが用いられる。
【００１９】
図２はＵＥ固有参照信号の構成を示す図である。図２に示すように、異なるＯＣＣ群に基づいて、１つのリソースブロックにおける同じ時間周波数リソースを用いるＵＥ固有参照信号を７つの参照信号群
【数５】
2013214969.tif 000007
に分けることができる。その逆拡散処理は、２つの方式、即ち時間領域方向に基づく逆拡散及び周波数領域方向に基づく逆拡散を有する。
【００２０】
ここで、時間領域方向の逆拡散処理は
【数６】
2013214969.tif 000008
に基づくものであり、その出力結果は以下の公式（１）に示される。周波数領域方向の逆拡散は
【数７】
2013214969.tif 000009
に基づくものであり、その出力結果は以下の公式（２）に示される。そのうち、
【数８】
2013214969.tif 000010
はポートｐの対応リソースユニットのＵＥ参照信号系列である。
【数９】
2013214969.tif 000011
公式（１）
【数１０】
2013214969.tif 000012
公式（２）
【００２１】
図２に示すように、
【数１１】
2013214969.tif 000013
で真実のチャネル応答を表示すると、リソースユニットＡにおける第１層下りリンク伝送（j=1）のポート７のＵＥ固有参照信号が経るチャネル応答は
【数１２】
2013214969.tif 000014
公式（３）
【数１３】
2013214969.tif 000015
公式（４）
と表示してもよい。
【００２２】
そのうち、
【数１４】
2013214969.tif 000016
は第j層下りリンク伝送におけるＵＥ固有参照信号群
【数１５】
2013214969.tif 000017
が経る真実チャネル応答の平均値を表示し、
【数１６】
2013214969.tif 000018
は白色ガウス雑音の推定値を表示し、
【数１７】
2013214969.tif 000019
は第j層下りリンク伝送におけるＵＥ固有参照信号群
【数１８】
2013214969.tif 000020
の初期チャネル応答推定に含まれる第
【数１９】
2013214969.tif 000021
層からの層間干渉を表示する。
【００２３】
上記公式（３）及び公式（４）に示すように、ＵＥ固有参照信号の初期チャネル応答には、信号群における他のリソースエレメントの推定誤差だけではなく、ターゲット下りリンク伝送層と重なっている他の伝送層からの層間干渉を含む。下記のデータ情報リソースエレメントにおけるチャネル応答に対する推定は、直線的補間又は代表的なＭＭＳＥ（Minimum  Mean  Squared  Error：最小平均二乗誤差）フィルタ等の従来方法を用いても、該干渉に対する処理を含まない。このため、ＵＥ固有参照信号の初期チャネル応答に含まれる層間干渉はチャネル推定精度の低減及びシステム性能の降下をもたらしてしまう。
【００２４】
（実施例１）
本発明の実施例１はチャネル推定装置を提供し、図３はチャネル推定装置の構成を示す図である。図３に示すように、チャネル推定装置は、前処理部３０１、干渉除去部３０２及びチャネル推定部３０３を含む。
【００２５】
前処理部３０１は、予め生成された参照信号系列を用いて受信信号に対して多重分離化（demultiplexing）及び逆拡散処理（despread）を行って、下りリンク伝送層における重なっている参照信号が占めるリソースエレメントの初期チャネル応答情報を抽出する。干渉除去部３０２は、層間の干渉を除去するための干渉除去マトリックス及び該初期チャネル応答情報に基づいて干渉除去を行い、干渉除去後の参照信号が占めるリソースエレメントのチャネル応答情報を取得する。チャネル推定部３０３は、干渉除去後の参照信号が占めるリソースエレメントのチャネル応答情報に基づいて、下りリンク伝送データが占めるリソースエレメントのチャネル応答を推定する。
【００２６】
具体的に実施する際に、該層間の干渉を除去するための干渉除去マトリックスは経験値に基づいて取得されてもよく、伝送チャネルの統計的特徴（statistic  characteristics）に基づいて生成されてもよい。干渉除去部３０２は、該干渉除去マトリックス及び該初期チャネル応答情報に基づいて平滑化処理を行ってもよく、例えば該干渉除去マトリックスに該初期チャネル応答情報を乗じて、干渉除去後の参照信号が占めるリソースエレメントにおけるチャネル応答情報を取得してもよい。
【００２７】
一の実施形態では、前処理部３０１は時間方向に基づく多重分離化及び逆拡散処理を行ってもよく、その出力結果は公式（１）に示される。出力結果は以下のようにベクトルの形に表示されてもよい。
【数２０】
2013214969.tif 000022
【００２８】
例えば、チャネルが周波数領域方向において直線的に変化すると予測された場合、干渉除去マトリックスは
【数２１】
2013214969.tif 000023
を採用してもよい。
【００２９】
そして、干渉除去マトリックスを用いてＵＥ固有参照信号リソースエレメントにおける初期チャネル応答に対して処理を行う。出力結果は
【数２２】
2013214969.tif 000024
であってもよい。
【００３０】
最後に、干渉除去後のＵＥ固有参照信号リソースエレメントにおけるチャネル応答に基づいてデータ情報リソースエレメントにおけるチャネル応答を推定し、以下の結果を出力する。
【数２３】
2013214969.tif 000025
【００３１】
ここで、データ情報リソースエレメントにおけるチャネル応答推定関数
【数２４】
2013214969.tif 000026
【００３２】
直線的補間又はＭＭＳＥ（Minimum  Mean  Squared  Error：最小平均二乗誤差）等であってもよい。
【００３３】
他の実施形態では、前処理部３０１は周波数方向に基づく多重分離化及び逆拡散処理を行ってもよく、その出力結果は公式（２）に示される。出力結果は以下のようにベクトルの形に表示されてもよい。
【数２５】
2013214969.tif 000027
【００３４】
例えば、チャネルが周波数領域方向において直線的に変化すると予測された場合、干渉除去マトリックスは
【数２６】
2013214969.tif 000028
を採用してもよい。
【００３５】
そして、干渉除去マトリックスを用いてＵＥ固有参照信号リソースエレメントにおける初期チャネル応答に対して処理を行う。出力結果は
【数２７】
2013214969.tif 000029
であってもよい。
【００３６】
最後に、干渉除去後のＵＥ固有参照信号リソースエレメントにおけるチャネル応答に基づいてデータ情報リソースエレメントにおけるチャネル応答を推定し、以下の結果を出力する。
【数２８】
2013214969.tif 000030
【００３７】
ここで、データ情報リソースエレメントにおけるチャネル応答推定関数
【数２９】
2013214969.tif 000031
直線的補間又はＭＭＳＥ等であってもよい。
【００３８】
なお、以上は、前処理部が時間領域方向に基づく多重分離化及び逆拡散処理を行い、干渉除去部が周波数領域方向において干渉除去を行うこと、或いは、前処理部が周波数領域方向に基づく多重分離化及び逆拡散処理を行い、干渉除去部は周波数領域方向において干渉除去を行うことを例として説明しているが、本発明はこれに限定されない。
【００３９】
本実施例では、前処理部は周波数領域方向に基づく多重分離化及び逆拡散処理を行い、干渉除去部は時間領域方向又は周波数領域方向において干渉除去を行う、或いは、前処理部は時間領域方向に基づく多重分離化及び逆拡散処理を行い、干渉除去部は周波数領域方向において干渉除去を行う、或いは、前処理部は時間領域及び周波数領域方向に基づく多重分離化及び逆拡散処理を行い、干渉除去部は時間領域及び周波数領域方向において干渉除去を行ってもよい。具体的な実施形態は実際の状況に応じて決定されてもよい。
【００４０】
（実施例２）
本発明の実施例はチャネル推定装置を提供し、実施例１を基礎として、伝送チャネルの統計的特徴（statistic  characteristics）に基づいて干渉除去マトリックスを生成することを詳細に説明する。なお、実施例１と同様の内容についてここに省略とされる。
【００４１】
図４はチャネル推定装置の他の構成を示す図である。図４に示すように、チャネル推定装置は、前処理部４０１、干渉除去部４０２及びチャネル推定部４０３を含む。また、該チャネル推定装置は、伝送チャネルの統計的特徴に基づいて該干渉除去マトリックスを生成するマトリックス計算部４０４をさらに含んでもよい。
【００４２】
具体的に実施する際に、マトリックス計算部４０４は、伝送チャネルのＳＮ比（信号対雑音比）、ドップラー偏移（Doppler  frequency  shift）及び遅延広がり（delay  spread）情報のうち少なくとも１つに基づいて、ＭＭＳＥ（最小平均二乗誤差）推定により干渉除去マトリックスを計算してもよい。
【００４３】
本実施例では、チャネルの統計的特徴に基づいて干渉除去マトリックスを生成してもよい。チャネルの統計的特徴の推定は、ＵＥ（ユーザ機器）固有の参照信号の初期チャネル応答を用いて行ってもよく、セル固有の参照信号（CRS、cell-specific  RS）又はチャネル状態情報の参照信号（CSI-RS、channel  state  information  RS）を用いて推定してもよい。
【００４４】
例えば、ＳＮ比（
【数３０】
2013214969.tif 000032
）、ドップラー偏移（
【数３１】
2013214969.tif 000033
）及び遅延広がり（
【数３２】
2013214969.tif 000034
）を含む伝送チャネルの統計的特徴に基づいて、干渉除去マトリックス
【数３３】
2013214969.tif 000035
を生成してもよい。具体的には、
【数３４】
2013214969.tif 000036
と表示されてもよい。
【００４５】
そのうち、Iは単位マトリックスであり、
【数３５】
2013214969.tif 000037
はＵＥＲＳ系列の自己相関関数であり、
【数３６】
2013214969.tif 000038
と表示されてもよい。
【００４６】
なお、以上はＳＮ比、ドップラー偏移及び遅延広がりを例として説明しているが、これに限定されず、上述した公式を適当に変形してもよい。例えば、静止状態（この時のFd=0）のような特殊なケースに適用される場合、公式（１４）における自己相関関数は
【数３７】
2013214969.tif 000039
と表示されてもよい。
【００４７】
図５は、シミュレーション性能を示す図である。ここで、具体的には公式（５）乃至公式（８）を採用し、シミュレーション配置環境では、下りリンク伝送データ層の数が８であり、送信アンテナの数が８であり、受信アンテナの数が８であり、チャネルがＥＴＵ５であり、バンド幅が１０ＭＨｚである。図５に示すように、干渉を除去することでＵＥ固有参照信号リソースエレメントにおけるチャネル応答の推定精度が向上される。
【００４８】
上述した実施例によれば、層間の干渉を除去するための層間干渉除去マトリックス及び初期チャネル応答情報により干渉除去を行うことで、参照信号の初期チャネル応答に含まれる層間干渉を除去することができ、チャネル推定の精度及びシステム性能を向上することができる。
【００４９】
（実施例３）
本発明の実施例はチャネル推定方法をさらに提供し、上述した装置と同様な内容についてここに省略とされる。図６は、チャネル推定方法のフローチャートである。図６に示すように、チャネル推定方法、ステップＳ６０１、ステップＳ６０２及びステップＳ６０３を含む。
【００５０】
ステップＳ６０１において、予め生成された参照信号系列を用いて受信信号に対して多重分離化及び逆拡散処理を行って、下りリンク伝送層における重なっている参照信号が占めるリソースエレメントの初期チャネル応答情報を抽出する。
【００５１】
ステップＳ６０２において、層間の干渉を除去するための干渉除去マトリックス及び該初期チャネル応答情報に基づいて干渉除去を行い、干渉除去後の参照信号が占めるリソースエレメントのチャネル応答情報を取得する。
【００５２】
ステップＳ６０３において、該干渉除去後の参照信号が占めるリソースエレメントのチャネル応答情報に基づいて、下りリンク伝送データが占めるリソースエレメントのチャネル応答を推定する。
【００５３】
具体的に実施する際に、該層間の干渉を除去するための干渉除去マトリックスは経験値に基づいて取得されてもよく、伝送チャネルの統計的特徴（statistic  characteristics）に基づいて生成されてもよい。該干渉除去マトリックス及び該初期チャネル応答情報に基づいて平滑化処理を行ってもよく、例えば該干渉除去マトリックスに該初期チャネル応答情報を乗じて、干渉除去後の参照信号が占めるリソースエレメントにおけるチャネル応答情報を取得してもよい。
【００５４】
一の実施形態では、時間方向に基づく多重分離化及び逆拡散処理を行って、周波数領域において干渉除去を行ってもよい。例えば、チャネルが周波数領域方向において直線的に変化すると予測された場合、干渉除去マトリックスは
【数３８】
2013214969.tif 000040
であってもよい。
【００５５】
他の実施形態では、周波数領域方向に基づく多重分離化及び逆拡散処理を行って、周波数領域方向において干渉除去を行ってもよい。例えば、チャネルが周波数領域方向において直線的に変化すると予測された場合、干渉除去マトリックスは
【数３９】
2013214969.tif 000041
であってもよい。
【００５６】
なお、他の実施例では、周波数領域方向に基づく多重分離化及び逆拡散処理を行い、時間領域方向又は周波数領域方向において干渉除去を行う、或いは、時間領域方向に基づく多重分離化及び逆拡散処理を行い、周波数領域方向において干渉除去を行う、或いは、時間領域及び周波数領域方向に基づく多重分離化及び逆拡散処理を行い、時間領域及び周波数領域方向において干渉除去を行ってもよい。
【００５７】
（実施例４）
本発明の実施例はチャネル推定方法を提供し、実施例３を基礎として、伝送チャネルの統計的特徴に基づいて干渉除去マトリックスを生成することを詳細に説明する。なお、実施例３と同様の内容についてここに省略とされる。
【００５８】
本実施例では、チャネルの統計的特徴に基づいて干渉除去マトリックスを生成してもよい。チャネルの統計的特徴に基づいて干渉除去マトリックスを生成する際に、ＵＥ固有の参照信号の初期チャネル応答、セル固有の参照信号の初期チャネル応答、又はチャネル状態情報の参照信号の初期チャネル応答を用いてもよい。
【００５９】
図７はチャネル推定方法の他のフローチャートである。図７に示すように、チャネル推定方法は、ステップＳ７０１、ステップＳ７０２、ステップＳ７０３、及びステップＳ７０４を含む。
【００６０】
ステップＳ７０１において、予め生成された参照信号系列を用いて受信信号に対して多重分離化及び逆拡散処理を行って、下りリンク伝送層における重なっている参照信号が占めるリソースエレメントの初期チャネル応答情報を抽出する。
【００６１】
ステップＳ７０２において、伝送チャネルの統計的特徴に基づいて干渉除去マトリックスを生成する。
【００６２】
具体的に実施する際に、伝送チャネルのＳＮ比、ドップラー偏移及び遅延広がり情報のうち少なくとも１つに基づいて、ＭＭＳＥ推定により干渉除去マトリックスを計算してもよい。
【００６３】
ステップＳ７０３において、層間の干渉を除去するための干渉除去マトリックス及び初期チャネル応答情報に基づいて干渉除去を行い、干渉除去後の参照信号が占めるリソースエレメントのチャネル応答情報を取得する。
【００６４】
ステップｓ７０４において、干渉除去後の参照信号が占めるリソースエレメントのチャネル応答情報に基づいて、下りリンク伝送データが占めるリソースエレメントのチャネル応答を推定する。
【００６５】
図８はチャネル推定方法を示す図であり、ＵＥ固有参照信号を例として説明する。図８に示すように、まず受信信号
【数４０】
2013214969.tif 000042
は、多重分離化及び逆拡散処理により、ＵＥ固有参照信号リソースエレメントにおける初期信号応答
【数４１】
2013214969.tif 000043
が取得される。そして、伝送チャネルの統計的特徴に基づいて干渉除去マトリックス
【数４２】
2013214969.tif 000044
を生成してもよい。その後、干渉除去マトリックスにＵＥ固有参照信号リソースエレメントにおける初期チャネル応答を乗じて、
【数４３】
2013214969.tif 000045
を取得する。最後に、干渉除去後のＵＥ固有参照信号リソースエレメントにおけるチャネル応答に基づいて、データ情報リソースエレメントにおけるチャネル応答を推定する。
【００６６】
本発明の実施例はユーザ機器をさらに提供し、該ユーザ機器は上述したチャネル推定装置を含む。
【００６７】
以上の実施例によれば、層間の干渉を除去するための層間干渉除去マトリックス及び初期チャネル応答情報により干渉除去を行うことで、参照信号の初期チャネル応答に含まれる層間干渉を除去することができ、チャネル推定の精度及びシステム性能を向上することができる。
【００６８】
本発明の上記の装置及び方法は、ハードウェアで実現されてもよく、ハードウェアとソフトウェアとの組合せで実現されてもよい。本発明はコンピュータが読み取り可能なプログラムに関し、該プログラムはロジックユニットにより実行され、ロジックユニットに上述した装置又は構成部材を実現させ、或いは該ロジックユニットに上述した各種の方法又はステップを実現させることができる。本発明は上記プログラムを記憶する、例えばハードディスク、磁気ディスク、光ディスク、ＤＶＤ、フラッシュメモリ等の記憶媒体にも関する。
【００６９】
以上、具体的な実施形態を参照しながら本発明を説明しているが、これらの説明は例示するものに過ぎず、本発明の保護の範囲を限定するものではない。本発明の特許請求の範囲及び明細書の内容に基づいて、当業者によって任意の変形及び修正が可能であり、本発明の保護範囲は特許請求の範囲を基準とする。
【００７０】
また、上述の各実施例を含む実施形態に関し、更に以下の付記を開示する。
【００７１】
（付記１）
予め生成された参照信号系列を用いて受信信号に対して多重分離化及び逆拡散処理を行って、下りリンク伝送層における重なっている参照信号が占めるリソースエレメントの初期チャネル応答情報を抽出する前処理部と、
層間の干渉を除去するための干渉除去マトリックス及び前記初期チャネル応答情報に基づいて干渉除去を行い、干渉除去後の参照信号が占めるリソースエレメントのチャネル応答情報を取得する干渉除去部と、
前記干渉除去後の参照信号が占めるリソースエレメントのチャネル応答情報に基づいて、下りリンク伝送データが占めるリソースエレメントのチャネル応答を推定するチャネル推定部と、を含む、チャネル推定装置。
【００７２】
（付記２）
伝送チャネルの統計的特徴に基づいて前記干渉除去マトリックスを生成するマトリックス計算部をさらに含む、付記１に記載のチャネル推定装置。
【００７３】
（付記３）
前記干渉除去マトリックスは経験値に基づいて予め生成される、付記１に記載のチャネル推定装置。
【００７４】
（付記４）
前記マトリックス計算部は、前記伝送チャネルのＳＮ比（信号対雑音比）、ドップラー偏移及び遅延広がり（delay  spread）情報のうち少なくとも１つに基づいて、ＭＭＳＥ（最小平均二乗誤差）推定により前記干渉除去マトリックスを計算する、付記２に記載のチャネル推定装置。
【００７５】
（付記５）
前記マトリックス計算部は、ＵＥ（ユーザ機器）固有の参照信号の初期チャネル応答を用いて伝送チャネルの統計的特徴を推定する、セル固有の参照信号の初期チャネル応答を用いて伝送チャネルの統計的特徴を推定する、或いはチャネル状態情報の参照信号の初期チャネル応答を用いて伝送チャネルの統計的特徴を推定する、付記２に記載のチャネル推定装置。
【００７６】
（付記６）
前記前処理部は時間領域方向に基づく多重分離化及び逆拡散処理を行い、前記干渉除去部は周波数領域方向において干渉除去を行う、付記１に記載のチャネル推定装置。
【００７７】
（付記７）
チャネルが周波数領域方向において直線的に変化すると予測され、前記干渉除去マトリックスが
【数４４】
2013214969.tif 000046
となる、付記６に記載のチャネル推定装置。
【００７８】
（付記８）
前記前処理部は周波数領域方向に基づく多重分離化及び逆拡散処理を行い、前記干渉除去部は周波数領域方向又は時間領域方向において干渉除去を行う、付記１に記載のチャネル推定装置。
【００７９】
（付記９）
チャネルが周波数領域方向において直線的に変化すると予測され、前記干渉除去マトリックスが
【数４５】
2013214969.tif 000047
となる、付記８に記載のチャネル推定装置。
【００８０】
（付記１０）
前記前処理部は周波数領域方向に基づく多重分離化及び逆拡散処理を行い、前記干渉除去部は時間領域方向又は周波数領域方向において干渉除去を行う、
或いは、前記前処理部は時間領域方向に基づく多重分離化及び逆拡散処理を行い、前記干渉除去部は周波数領域方向において干渉除去を行う、
或いは、前記前処理部は時間領域及び周波数領域方向に基づく多重分離化及び逆拡散処理を行い、前記干渉除去部は時間領域及び周波数領域方向において干渉除去を行う、付記１に記載のチャネル推定装置。
【００８１】
（付記１１）
予め生成された参照信号系列を用いて受信信号に対して多重分離化及び逆拡散処理を行って、下りリンク伝送層における重なっている参照信号が占めるリソースエレメントの初期チャネル応答情報を抽出するステップと、
層間の干渉を除去するための干渉除去マトリックス及び前記初期チャネル応答情報に基づいて干渉除去を行い、干渉除去後の参照信号が占めるリソースエレメントのチャネル応答情報を取得するステップと、
前記干渉除去後の参照信号が占めるリソースエレメントのチャネル応答情報に基づいて、下りリンク伝送データが占めるリソースエレメントのチャネル応答を推定するステップと、を含む、チャネル推定方法。
【００８２】
（付記１２）
伝送チャネルの統計的特徴に基づいて前記干渉除去マトリックスを生成するステップをさらに含む、付記１１に記載のチャネル推定方法。
【００８３】
（付記１３）
伝送チャネルの統計的特徴に基づいて前記干渉除去マトリックスを生成するステップにおいては、前記伝送チャネルのＳＮ比（信号対雑音比）、ドップラー偏移及び遅延広がり（delay  spread）情報のうち少なくとも１つに基づいて、ＭＭＳＥ（最小平均二乗誤差）推定により前記干渉除去マトリックスを計算する、付記１２に記載のチャネル推定方法。
【００８４】
（付記１４）
伝送チャネルの統計的特徴に基づいて前記干渉除去マトリックスを生成するステップにおいては、ＵＥ（ユーザ機器）固有の参照信号の初期チャネル応答を用いて伝送チャネルの統計的特徴を推定する、セル固有の参照信号の初期チャネル応答を用いて伝送チャネルの統計的特徴を推定する、或いはチャネル状態情報の参照信号の初期チャネル応答を用いて伝送チャネルの統計的特徴を推定する、付記１２に記載のチャネル推定方法。
【００８５】
（付記１５）
時間領域方向に基づく多重分離化及び逆拡散処理を行い、周波数領域方向において干渉除去を行う、付記１１に記載のチャネル推定方法。
【００８６】
（付記１６）
チャネルが周波数領域方向において直線的に変化すると予測され、前記干渉除去マトリックスが
【数４６】
2013214969.tif 000048
となる、付記１５に記載のチャネル推定方法。
【００８７】
（付記１７）
周波数領域方向に基づく多重分離化及び逆拡散処理を行い、周波数領域方向又は時間領域方向において干渉除去を行う、付記１に記載のチャネル推定方法。
【００８８】
（付記１８）
チャネルが周波数領域方向において直線的に変化すると予測され、前記干渉除去マトリックスが
【数４７】
2013214969.tif 000049
となる、付記１７に記載のチャネル推定方法。
【００８９】
（付記１９）
周波数領域方向に基づく多重分離化及び逆拡散処理を行い、時間領域方向又は周波数領域方向において干渉除去を行う、
或いは、時間領域方向に基づく多重分離化及び逆拡散処理を行い、周波数領域方向において干渉除去を行う、
或いは、時間領域及び周波数領域方向に基づく多重分離化及び逆拡散処理を行い、時間領域及び周波数領域方向において干渉除去を行う、付記１１に記載のチャネル推定方法。
【００９０】
（付記２０）
付記１乃至１０のいずれかに記載のチャネル推定装置を含むユーザ機器。
【図１】
2013214969.tif 000050
【図２】
2013214969.tif 000051
【図３】
2013214969.tif 000052
【図４】
2013214969.tif 000053
【図５】
2013214969.tif 000054
【図６】
2013214969.tif 000055
【図７】
2013214969.tif 000056
【図８】
2013214969.tif 000057